【事件の表示】
　特願２０１３−１５１２４０号「遊技機」拒絶査定不服審判事件〔平成２５年１２月５日出願公開、特開２０１３−２４０６６８号〕について、次のとおり審決する。
【結　論】
　本件審判の請求は、成り立たない。
【理　由】
１　手続の経緯 
　本願は、平成２３年１０月２５日に出願された特願２０１１−２３４１０７号の一部を平成２５年７月２２日に新たに特許出願したものであって、平成２８年３月９日付けで拒絶査定がなされ、これに対して、同年５月１６日付けで拒絶査定不服審判の請求がなされるとともに手続補正がなされたが、当審において平成２９年１月１１日付けで拒絶理由通知がなされ、これに対して、同年３月２日付けで手続補正がなされたものである。
２　本願の請求項１に係る発明 
　平成２９年３月２日付けの手続補正は、特許請求の範囲を補正する内容を含んでおり、当該補正後の特許請求の範囲の請求項１に係る発明は、次のとおりのものである（以下、「本願発明」という。Ａ〜Ｊは本願発明を分説するため当審で付した。）。 
「【請求項１】 
Ａ　遊技球が入賞可能な複数の遊技球入賞口と、
Ｂ　前記複数の遊技球入賞口のそれぞれに対応して設けられ、前記遊技球入賞口に入賞した遊技球を前記遊技球入賞口毎に個別に検知する複数の個別検知手段と、
Ｃ　前記複数の遊技球入賞口に入賞した遊技球を集める集球通路と、
Ｄ　前記集球通路によって集められた遊技球を検知する共通検知手段と、
Ｅ　前記複数の個別検知手段により検知された遊技球数を入賞数として記憶保持可能な入賞数記憶手段と、
Ｆ　前記共通検知手段により検知された遊技球数を前記入賞数記憶手段に記憶保持されている入賞数から減算する入賞数減算手段と、
Ｇ　所定の監視時間が経過する毎に、前記入賞数記憶手段に記憶されている入賞数に基づいて、不正報知を実行するか否かの判定を行う不正報知判定手段と、
Ｈ　前記不正報知を実行する音声出力手段と、
を備え、
Ｉ　前記不正報知判定手段は、不正報知を実行すると判定した場合に、不正報知する時間を不正防止報知タイマにセットし、
Ｊ　前記音声出力手段は、前記不正報知判定手段が不正報知を実行すると判定した場合に、警告音を出力し、前記不正防止報知タイマにセットされた時間が経過すると、遊技演出に関する音声出力に切り換えることを特徴とする遊技機。」  
３　刊行物に記載された事項
ア　刊行物１
　当審の拒絶の理由で引用された、本願の出願遡及日前の刊行物である特開２００２−３５３２５号公報（以下、「刊行物１」という。）には、次の事項が記載されている（下線は当審で付した。）。
（ア）　「【００２９】なお、
始動入賞口１４を通過した遊技球の通路には、入賞した遊技球を検出する始動口スイッチ１７が設けられ
【００３０】可変表示装置８の下方位置には、可変入賞球装置１５（電動チューリップ役物）を兼用する
始動入賞口１４と特定遊技状態（大当り状態）において、ソレノイド等を駆動することで開放動作を行なう大入賞口２０とが、順に配列され
始動入賞口に入った入賞球は、始動口スイッチ１７によって検出され
大入賞口への入賞球は
カウントスイッチ２３に検出され
【００３１】遊技盤６には、複数の入賞口１９，２４が設けられ、遊技球の入賞口１９，２４への入賞は入賞口スイッチ１９ａ，２４ａによって検出される。複数の
入賞口１９，２４それぞれに対応して入賞口スイッチ１９ａ，２４ａが設けられ
【００３２】遊技領域７の左右周辺には、遊技中に点灯表示される装飾ランプ２５が設けられ、下部には、入賞しなかった打球を吸収するアウト口２６がある。また、遊技領域７の外側の左右上部には、
効果音を発する２つのスピーカ２７が設けられ
（イ）　「【００７３】また、
入賞玉処理装置１１５は、入賞口スイッチ１９ａ，２４ａ、始動口スイッチ１７、カウントスイッチ２３の下流側の排出通路を誘導されてきた遊技球を所定のタイミングで１個ずつ排出可能であるため、入賞玉検出器１２２により遊技媒体が１個ずつ確実に検出する
（ウ）　「【００９６】図１０は、
払出制御基板３７の図９のＳＣ６に示す入賞チェック処理
【００９７】まず、図１０（ａ）に示すように、時点Ａにおいて、賞球指定コマンドの入力がある。そして、Ａ時点において、図１０（ｂ）に示すように賞球指定コマンドの入力に対応して入賞監視時間タイマＴ２が作動を開始するとともに、図１０（ｃ）に示すように、入賞監視時間タイマＴ１が作動を開始する。また、時点Ａにおいては、排出処理装置（入賞玉処理装置１１５）作動ソレノイド／排出中フラグの１回目のＯＮ状態が開始する。次に、排出処理装置（入賞玉処理装置１１５）作動ソレノイド／排出中フラグがＯＦＦ状態になる。このＯＦＦのタイミングにおいて、入賞玉処理装置１１５のソレノイド１２７の作動が停止して、入賞玉処理装置１１５が図５（Ａ）の状態から図５の（Ｂ）の状態へと変化することにより、第２の検出手段としての入賞玉検出器１２２が遊技球を検出する。」
（エ）　「【０１０２】図１０に示すタイミングチャートのような動作を行なう
パチンコ遊技機１は、入賞口１９，２４、始動口１４および大入賞口２０のいずれか（以下、「入賞口１９，２４等」という。）に入賞した入賞球を検出するための第１の検出手段としての入賞口スイッチ１９ａ，２４ａ、始動口スイッチ１７およびカウントスイッチ２３のいずれか（以下、「入賞口スイッチ１９ａ，２４ａ等」という。）による検出が所定時間経過してもないことを条件として、計数手段としての入賞数カウンタを用いて入賞口スイッチ１９ａ，２４ａ等の検出数と入賞玉検出器１２２の検出数との差を計数している、すなわち、パチンコ遊技機１は、入賞口スイッチ１９ａ，２４ａ等に遊技球が所定時間入賞しない期間に、入賞口スイッチ１９ａ，２４等による遊技球の検出数と入賞玉検出器１２２による遊技球の検出数との差を計数して、差があれば入賞検出異常と判定する
（オ）　「【０１０８】図１２は、入賞チェック処理を説明するためのフローチャートである。
入賞チェック処理においては、ＳＥ１において、入賞チェックスイッチ監視処理が行なわれる
【０１０９】図１３は、入賞チェックスイッチ監視処理を説明するためのフローチャートである。
入賞チェックスイッチ監視処理において
入賞玉処理装置１１５の入賞玉検出器１２２がＯＮからＯＦＦに変化したか否かの判別が行なわれる
【０１１１】・・・また、賞球指定コマンドの入力があった後、タイマＴ１０１によて計時される第１の所定時間経過し、かつ、第１の所定時間よりも長いタイマＴ１０２によって計時される第２の所定時間内に、
入賞玉処理装置１１５により遊技球が排出された場合に、入賞口１９，２４等に入賞した遊技球の入賞個数をカウントする入賞数カウンタを「−１」する。言い換えれば、入賞口スイッチ１９ａ，２４ａ等によって入賞検出された入賞球を計数可能な入賞球カウンタが、検出がある毎に入賞球数をカウントダウンする
【０１１２】したがって、図１３に示す入賞チェック監視処理においては、入賞検出異常判定手段としてのＳＦ２において、入賞玉処理装置１１５が遊技媒体を排出するタイミングに基づかないタイミングにおいて、入賞玉検出器１２２による検出があった場合に、入賞検出に異常が発生した旨の判定を行なうため、入賞玉処理装置１１５が作動していない状態で入賞玉検出器１２２による検出があるような入賞検出異常を判定することができる。
【０１１３】
図１４は
入賞チェックスイッチ整合処理においては、まず、ＳＧ１において、タイマＴ１０１が作動中であるか否かが判別され、タイマＴ１０１が作動中であれば処理を終了するが、タイマＴ１０１が作動中でなければＳＧ２に進み、入賞数カウンタが「０」以外であるか否かが判別される。ＳＧ２において、入賞数カウンタが「０」以外であれば、ＳＧ１においてタイマＴ１０１がタイムアウトしているため、入賞口１９，２４等に遊技球が入賞して入賞口スイッチ１９ａ，２４ａ等により入賞検出が行なわれた後、排出処置装置１１５により遊技球が排出されず、入賞玉検出器１２２がタイマＴ１０２によって計時される第２の所定時間を経過しても遊技球を検出していないか、または、入賞口スイッチ１９ａ，２４ａ等により遊技球が検出されずに入賞玉処理装置１１５により排出されたことになるため、何らかのエラーが発生したと判断してＳＧ３に進み、警告処理を行なう
【０１１４】図１４に示すように、入賞検出異常判定手段としてのＳＧ３によれば、第１の検出手段としての入賞口スイッチ１９ａ，２４ａ等の検出数と第２の検出手段としての入賞玉検出器１２２の検出数とが同一でない場合に、入賞検出に異常が発生した旨の判定をするため、電波などを利用して遊技球の入賞が無い状態において入賞検出スイッチ１９ａ，２４ａ等に対して遊技球を検出したかのうような誤検出をさせて、景品を取得するような
不正を防止する
・・・
【０１１８】また、
払出制御基板３７が入賞検出異常判定手段としてのＳＧ３を含んでいる
　上記記載事項から、以下のことがいえる（認定）。 
（カ）　上記（ア）の【００２９】〜【００３１】には、「始動入賞口１４を通過した遊技球・・・を検出する始動口スイッチ１７が設けられ・・・始動入賞口１４と・・・大入賞口２０とが、順に配列され・・・大入賞口への入賞球は・・・カウントスイッチ２３に検出され・・・遊技球の入賞口１９，２４への入賞は入賞口スイッチ１９ａ，２４ａによって検出される」と記載され、上記（イ）の【００７３】には、「入賞玉処理装置１１５は、入賞口スイッチ１９ａ，２４ａ、始動口スイッチ１７、カウントスイッチ２３の下流側の排出通路を誘導されてきた遊技球を所定のタイミングで１個ずつ排出可能であるため、入賞玉検出器１２２により遊技媒体が１個ずつ確実に検出することができる」と記載されているから、「排出通路」は、入賞口１９、入賞口２４、始動入賞口１４、大入賞口２０に入賞した遊技球を、入賞口スイッチ１９ａ，２４ａ、始動口スイッチ１７、カウントスイッチ２３の下流側で、入賞玉処理装置１１５に誘導するものであるといえる。また、「入賞玉検出器１２２」は、排出通路によって入賞玉処理装置１１５に誘導されてきた遊技球を検出するものであるといえる。
　したがって、上記（イ）の【００７３】には、
入賞口１９、入賞口２４、始動入賞口１４、大入賞口２０に入賞した遊技球を入賞玉処理装置１１５に誘導する排出通路と、 排出通路によって入賞玉処理装置１１５に誘導されてきた遊技球を検出する入賞玉検出器１２２
（キ）　上記（ウ）の【００９６】には、「払出制御基板３７の・・・・入賞チェック処理」と記載され、上記（オ）の【０１０８】には、「入賞チェック処理においては・・・入賞チェックスイッチ監視処理が行なわれる」と記載され、同【０１０９】〜【０１１１】には、「入賞チェックスイッチ監視処理において・・・入賞玉処理装置１１５により遊技球が排出された場合に・・・入賞球数をカウントダウンする」と記載されているから、「払出制御基板３７」は、入賞チェック処理の中の入賞チェックスイッチ監視処理において、当該「カウントダウン」を行うものであるといえる。
　また、同【０１１１】には、「入賞玉処理装置１１５により遊技球が排出された場合に、入賞口１９，２４等に入賞した遊技球の入賞個数をカウントする入賞数カウンタを「−１」する。言い換えれば・・・検出がある毎に入賞球数をカウントダウンする」と記載されており、当該「検出」は、同【０１０９】に記載された、「入賞玉処理装置１１５の入賞玉検出器１２２がＯＮからＯＦＦに変化した」ことを指していることは明らかであるから、当該「カウントダウン」では、入賞玉検出器１２２による遊技球の検出数を「入賞数カウンタ」に記憶保持されている入賞数から、減算しているといえる。
　したがって、上記（ウ）の【００９６】及び上記（オ）の【０１０８】〜【０１１１】には、
入賞玉処理装置１１５により遊技球が排出された場合に、入賞玉検出器１２２による遊技球の検出数を入賞数カウンタに記憶保持されている入賞数から減算する払出制御基板３７
（ク）　上記（オ）の【０１１３】には、「図１４は、・・・入賞チェックスイッチ整合処理においては、まず、ＳＧ１において、タイマＴ１０１が作動中であるか否かが判別され、タイマＴ１０１が作動中であれば処理を終了するが、タイマＴ１０１が作動中でなければＳＧ２に進み、入賞数カウンタが「０」以外であるか否かが判別される。ＳＧ２において、入賞数カウンタが「０」以外であれば、ＳＧ１においてタイマＴ１０１がタイムアウトしているため、入賞口１９，２４等に遊技球が入賞して入賞口スイッチ１９ａ，２４ａ等により入賞検出が行なわれた後、排出処置装置１１５により遊技球が排出されず、入賞玉検出器１２２がタイマＴ１０２によって計時される第２の所定時間を経過しても遊技球を検出していないか、または、入賞口スイッチ１９ａ，２４ａ等により遊技球が検出されずに入賞玉処理装置１１５により排出されたことになるため、何らかのエラーが発生したと判断してＳＧ３に進み、警告処理を行なう」と記載され、同【０１１８】には、「払出制御基板３７が入賞検出異常判定手段としてのＳＧ３を含んでいる」と記載されているから、「払出制御基板３７」は、入賞チェックスイッチ整合処理において、タイマＴ１０１がタイムアウトした際に、入賞数カウンタが「０」以外であるか否かに基づいて、警告処理を行うか否かを判断するものであるといえる。
　したがって、上記（オ）の【０１１３】及び同【０１１８】には、
タイマＴ１０１がタイムアウトした際に、入賞数カウンタが「０」以外であるか否かに基づいて、警告処理を行うか否かを判断する払出制御基板３７
　上記（ア）〜（オ）の記載事項及び（カ）〜（ク）の認定事項から、刊行物１には、次の発明が記載されていると認められる（以下、「刊行物発明」という。ａ〜ｈは刊行物発明を分説するため当審で付した。）。
「ａ　遊技球が入賞する入賞口１９、入賞口２４、始動入賞口１４、大入賞口２０と（【００２９】〜【００３１】）、
ｂ　入賞口１９、入賞口２４、始動入賞口１４、大入賞口２０のそれぞれに対応して設けられ、入賞口１９、入賞口２４、始動入賞口１４、大入賞口２０に入賞した遊技球を検出する入賞口スイッチ１９ａ、入賞口スイッチ２４ａ、始動口スイッチ１７、カウントスイッチ２３と（【００２９】〜【００３１】、【０１０２】）、
ｃ　入賞口１９、入賞口２４、始動入賞口１４、大入賞口２０に入賞した遊技球を入賞玉処理装置１１５に誘導する排出通路（認定事項（カ））と、
ｄ　排出通路によって入賞玉処理装置１１５に誘導されてきた遊技球を検出する入賞玉検出器１２２と（認定事項（カ））、
ｅ　入賞口スイッチ１９ａ、入賞口スイッチ２４ａ、始動口スイッチ１７、カウントスイッチ２３によって入賞検出された入賞球を計数可能な入賞数カウンタと（【０１０２】、【０１１１】）、
ｆ　入賞玉処理装置１１５により遊技球が排出された場合に、入賞玉検出器１２２による遊技球の検出数を入賞数カウンタに記憶保持されている入賞数から減算する払出制御基板３７と（認定事項（キ））、
ｇ　タイマＴ１０１がタイムアウトした際に、入賞数カウンタが「０」以外であるか否かに基づいて、警告処理を行うか否かを判断する払出制御基板３７と（認定事項（ク））、
ｈ　効果音を発する２つのスピーカ２７と（【００３２】）、
を備えるパチンコ遊技機１（【０１０２】）。」
   
イ　刊行物２ 
　当審の拒絶の理由で引用された、本願の出願遡及日前の刊行物である特開２００７−２７５６３９号公報（以下、「刊行物２」という。）には、次の事項が記載されている（下線は当審で付した。）。
（ア）　「【０２０６】
　また、この実施の形態では、遊技制御用マイクロコンピュータ５６０がコマンドを送信した回数にもとづいて賞球過多の検出を行う。よって、この実施の形態では、例えば、
入賞領域に遊技媒体が入賞したことを検出するスイッチを不正にオンさせる不正行為が行われると、賞球カウンタの値が遂には２５０になって異常報知がなされる
（イ）　「【０４３６】
　また、演出制御用マイクロコンピュータ１００は、
賞球過多
の報知を行っているか否か確認する（ステップＳ８８１）。そのような報知を行っていない場合には、賞球過多報知コマンドを受信したか否か確認する（ステップＳ８８２）。賞球過多報知コマンドを受信していた場合には、図７６（Ｂ）に例示するような賞球過多報知画面を可変表示装置９に表示する制御を行う（ステップＳ８８３）。また、報知時間を決定するために報知タイマに報知時間に応じた値を設定する（ステップＳ８８４）
【０４３８】
　
賞球過多
の報知を行っている場合には、報知タイマの値を１減算する（ステップＳ８８８）。報知タイマの値が０になっていなければ、すなわちタイムアウトしていなければステップＳ８９１に移行するが、タイムアウトしている場合には、報知を終了する。すなわち、可変表示装置９の表示画面を、図７６（Ｂ）
に示す画面に代えて、図７６（Ｂ）
に示す画面を表示する前に表示していた画面に戻す
ウ　刊行物３
　当審の拒絶の理由で引用された、本願の出願遡及日前の刊行物である特開２０００−２１０４４９号公報（以下、「刊行物３」という。）には、次の事項が記載されている（下線は当審で付した。）。
（ア）　「【００１７】いずれの場合も、払出手段は、異常又は
不正があったものと判断して、払出停止フラグを設定する。この払出停止フラグが設定されると
エラーメッセージを表示したりすることとなる
・・・
【００２３】（請求項４）請求項４記載の発明は、請求項１、２又は３記載の発明の特徴に加え、払出停止フラグが設定された際に、所定のエラー表示を行うエラー表示手段を有することを特徴とする。「エラー表示手段」とは、遊技者及び遊技機の設置者に、払出停止状態が発生したことを表示するための手段である。この
エラー表示手段としては、画像表示などの視覚的手段、あるいは、音声などの聴覚的手段のいずれも採用することができる
（イ）　「【００４２】（賞球払出処理）次に、図３のフローチャートを参照しつつ、賞球の払出処理を説明する。まず、S140において、払出制御停止フラグ（Ｌ）が設定されているか否かが判断される。この払出制御停止フラグは、後述のS160において設定されるものである。ここで、同フラグが設定されている場合には、エラー表示（S170）の上、遊技が停止されることとなる（S171）。
【００４３】一方、払出制御停止フラグが設定されていない場合は、S141へ進み、不正入賞検知フラグ（Ｋ）が設定されているか否かが判断される。ここで、設定されている場合には、S160へ進んで払出制御停止フラグ（Ｌ）が設定され、続いてS161で発射停止フラグ（Ｉ）が設定される。そして、再びS140へ進み、ここで払出制御停止フラグが設定されていると判断される。そして、エラー表示（S170）の上、遊技が停止されることとなる（S171）。・・・
【００４４】一方、
不正入賞検知フラグが設定されていない場合は、S142へ進み、検査時間カウンタを加算させ、S143において同カウンタが２０秒に達したか否かが判断される
【００４５】また、
S143において同カウンタが２０秒に達している場合には、S146へ進み、（（Ａ−Ｂ）−（Ｃ＋Ｄ））の値（Ｅ）が計算され、この値の絶対値が５を越えているか否かがS147で判断される
【００４６】さて、
S147でＥの値が許容範囲を超えていると判断される場合には
【００４８】・・・いずれの場合においても、S160へ進んで払出制御停止フラグ（Ｌ）が設定され、続いてS161で発射停止フラグ（Ｉ）が設定される。そして、再びS140へ進み、ここで払出制御停止フラグが設定されていると判断される。そして、
液晶画面70にエラー表示（S170）の上
検査時間カウンタもクリアされ（S150）、再びS140へ戻る
４　対比
　本願発明と刊行物発明とを対比する。対比の見出しとしての（ａ）〜（ｈ）は刊行物発明の分説構成と対応させた。
（ａ）　刊行物発明において「遊技球が入賞する」ことができるようにされていることは、本願発明において「遊技球が入賞可能」にされていることに相当する。
　また、刊行物発明の「入賞口１９、入賞口２４、始動入賞口１４、大入賞口２０」は、本願発明の「複数の遊技球入賞口」に相当する。
　したがって、刊行物発明の「遊技球が入賞する入賞口１９、入賞口２４、始動入賞口１４、大入賞口２０」は、本願発明の「遊技球が入賞可能な複数の遊技球入賞口」に相当する。 
  
（ｂ）　刊行物発明において「入賞した遊技球を検出」することは、本願発明において「入賞した遊技球」を「検知」することに相当する。 
　また、刊行物発明の「入賞口スイッチ１９ａ、入賞口スイッチ２４ａ、始動口スイッチ１７、カウントスイッチ２３」は、「入賞口１９、入賞口２４、始動入賞口１４、大入賞口２０」のそれぞれに対応して個別に設けられており、入賞した遊技球を個別に検出するものであるといえるから、本願発明の「前記遊技球入賞口毎に個別に検知する複数の個別検知手段」に相当する。 
　したがって、刊行物発明の「入賞口１９、入賞口２４、始動入賞口１４、大入賞口２０のそれぞれに対応して設けられ、入賞口１９、入賞口２４、始動入賞口１４、大入賞口２０に入賞した遊技球を検出する入賞口スイッチ１９ａ、入賞口スイッチ２４ａ、始動口スイッチ１７、カウントスイッチ２３」は、本願発明の「前記複数の遊技球入賞口のそれぞれに対応して設けられ、前記遊技球入賞口に入賞した遊技球を前記遊技球入賞口毎に個別に検知する複数の個別検知手段」に相当する。 
  
（ｃ）　刊行物発明における「入賞玉処理装置１１５」は、入賞口１９、入賞口２４、始動入賞口１４、大入賞口２０に入賞した遊技球を１箇所に集めて排出するものであるといえるから、当該入賞玉処理装置１１５に遊技球を「誘導する排出通路」は、「遊技球を集める集球通路」であることは明らかである。 
　したがって、刊行物発明の「入賞口１９、入賞口２４、始動入賞口１４、大入賞口２０に入賞した遊技球を入賞玉処理装置１１５に誘導する排出通路」は、本願発明の「前記複数の遊技球入賞口に入賞した遊技球を集める集球通路」に相当する。 
  
（ｄ）　刊行物発明の「排出通路によって入賞玉処理装置１１５に誘導されてきた遊技球を検出する入賞玉検出器１２２」は、本願発明の「前記集球通路によって集められた遊技球を検知する共通検知手段」に相当する。 
  
（ｅ）　刊行物発明における「入賞数カウンタ」は、カウント対象の数を「記憶保持可能」であることは明らかである。 
　そして、刊行物発明において「入賞数カウンタ」を用いて「入賞口スイッチ１９ａ、入賞口スイッチ２４ａ、始動口スイッチ１７、カウントスイッチ２３によって入賞検出された入賞球を計数」することは、当該各スイッチで検出された遊技球の数を入賞数として計数して記憶しているといえるから、本願発明において「前記複数の個別検知手段により検知された遊技球数を入賞数として記憶保持」することに相当するといえる。 
　したがって、刊行物発明の「入賞口スイッチ１９ａ、入賞口スイッチ２４ａ、始動口スイッチ１７、カウントスイッチ２３によって入賞検出された入賞球を計数可能な入賞数カウンタ」は、本願発明の「前記複数の個別検知手段により検知された遊技球数を入賞数として記憶保持可能な入賞数記憶手段」に相当する。 
  
（ｆ）　刊行物発明の「入賞数カウンタ」、「入賞玉検出器１２２による遊技球の検出数」は、それぞれ、本願発明の「入賞数記憶手段」、「前記共通検知手段により検知された遊技球数」に相当する。 
　そして、刊行物発明における「払出制御基板３７」は、「入賞玉処理装置１１５により遊技球が排出された場合」に、「入賞玉検出器１２２による遊技球の検出数」、すなわち本願発明の「前記共通検知手段により検知された遊技球数」を、「入賞数カウンタ」に記憶保持されている入賞数から減算しているから、本願発明の「前記共通検知手段により検知された遊技球数を前記入賞数記憶手段に記憶保持されている入賞数から減算する入賞数減算手段」に相当する。 
　したがって、刊行物発明の「入賞玉処理装置１１５により遊技球が排出された場合に、入賞玉検出器１２２による遊技球の検出数を入賞数カウンタに記憶保持されている入賞数から減算する払出制御基板３７」は、本願発明の「前記共通検知手段により検知された遊技球数を前記入賞数記憶手段に記憶保持されている入賞数から減算する入賞数減算手段」に相当する。  
（ｇ）　刊行物発明における「警告処理」は、「不正を防止する」（【０１１４】）ために行うものであって、「不正報知」を行うものであることは明らかである。
　そして、刊行物発明の「タイマＴ１０１がタイムアウトした際」、「入賞数カウンタが「０」以外であるか否かに基づいて、警告処理を行うか否かを判断する」こと、「払出制御基板３７」は、それぞれ、本願発明の「所定の監視時間が経過する毎」、「前記入賞数記憶手段に記憶されている入賞数に基づいて、不正報知を実行するか否かの判定を行う」こと、「不正報知判定手段」に相当する。 
　したがって、刊行物発明の「タイマＴ１０１がタイムアウトした際に、入賞数カウンタが「０」以外であるか否かに基づいて、警告処理を行うか否かを判断する払出制御基板３７」は、本願発明の「所定の監視時間が経過する毎に、前記入賞数記憶手段に記憶されている入賞数に基づいて、不正報知を実行するか否かの判定を行う不正報知判定手段」に相当する。
（ｈ）　刊行物発明の「効果音を発する２つのスピーカ２７」と、本願発明の「前記不正報知を実行する音声出力手段」は、いずれも「音声出力手段」である点で共通する。
　また、刊行物発明の「パチンコ遊技機１」は、本願発明の「遊技機」に相当する。
　上記（ａ）〜（ｈ）の検討により、本願発明と刊行物発明とは、
「Ａ　遊技球が入賞可能な複数の遊技球入賞口と、
Ｂ　前記複数の遊技球入賞口のそれぞれに対応して設けられ、前記遊技球入賞口に入賞した遊技球を前記遊技球入賞口毎に個別に検知する複数の個別検知手段と、
Ｃ　前記複数の遊技球入賞口に入賞した遊技球を集める集球通路と、
Ｄ　前記集球通路によって集められた遊技球を検知する共通検知手段と、
Ｅ　前記複数の個別検知手段により検知された遊技球数を入賞数として記憶保持可能な入賞数記憶手段と、 
Ｆ　前記共通検知手段により検知された遊技球数を前記入賞数記憶手段に記憶保持されている入賞数から減算する入賞数減算手段と、 
Ｇ　所定の監視時間が経過する毎に、前記入賞数記憶手段に記憶されている入賞数に基づいて、不正報知を実行するか否かの判定を行う不正報知判定手段と、 
Ｈ’　音声出力手段と、
を備える遊技機。」
の点で一致し、以下の点で相違する。
  
［相違点１］：不正報知判定手段に関し、本願発明では「不正報知を実行すると判定した場合に、不正報知する時間を不正防止報知タイマにセット」するのに対して、刊行物発明ではそのような特定がない点。（Ｉ） 
［相違点２］：音声出力手段に関し、本願発明では「前記不正報知を実行する」ものであって、「前記音声出力手段は、前記不正報知判定手段が不正報知を実行すると判定した場合に、警告音を出力し、前記不正防止報知タイマにセットされた時間が経過すると、遊技演出に関する音声出力に切り換える」のに対して、刊行物発明ではそのような特定がない点。 （Ｈ、Ｊ）
５　判断
ア　相違点１について
　刊行物２の【０４３６】には、賞球過多の報知を行っていない場合に、賞球過多報知コマンドを受信していた場合には、賞球過多報知画面を可変表示装置９に表示する制御を行い、報知時間を決定するために報知タイマに報知時間に応じた値を設定することが記載されている。
　ここで、刊行物２の【０２０６】には、「入賞領域に遊技媒体が入賞したことを検出するスイッチを不正にオンさせる不正行為が行われると、賞球カウンタの値が遂には２５０になって異常報知がなされる」と記載されており、刊行物２に記載された事項の「賞球過多報知」は、「不正」に関して「報知」する「不正報知」であるから、刊行物２に記載された事項において「賞球過多報知画面を可変表示装置９に表示する制御を行」うことは、「不正報知」を「実行」することであることは明らかである。
　また、刊行物２に記載された事項において「報知時間を決定するために報知タイマに報知時間に応じた値を設定する」ことは、「不正報知する時間を不正防止報知タイマにセットすること」であることは明らかである。
　したがって、刊行物２には、不正報知を実行すると判定した場合に、不正報知する時間を不正防止報知タイマにセットすることが記載されているといえる。
　そして、刊行物発明と刊行物２に記載された事項は、遊技球の入賞を検出するスイッチへの不正を防止するという共通の課題を有するから、刊行物発明において警告処理（不正報知）を行う際に、刊行物２に記載された事項を適用して「不正報知する時間を不正防止報知タイマにセット」することで、上記相違点１に係る本願発明の構成とすることは、当業者であれば適宜なし得たことである。 
  
　なお、本願発明では、「所定の監視時間」の計時がいつスタートされるのか特定されておらず、刊行物発明において、「賞球指定コマンド」があった場合（【００９７】、【０１１１】、図１０、図１１）、すなわち遊技球の入賞があった場合にスタート（又は、リセット及び再スタート）される「タイマＴ１０１」も、所定の監視時間を計時するものであるといえるから、上記「４　（ｇ）」において、刊行物発明の「タイマＴ１０１がタイムアウトした際」は、本願発明の「所定の監視時間が経過する毎」に相当するとした。
　しかしながら、仮に、本願発明の「所定の監視時間が経過する毎」が、『遊技球の入賞とは無関係に一定時間が経過する毎』を意味するとしても、刊行物３に記載された事項においても、検査時間カウンタが２０秒に達する毎にエラー表示を実行するか否かの判断を行うことで、遊技球の入賞とは無関係に所定の時間が経過する毎に不正報知を実行するか否かを判定しているといえる。
　そして、刊行物発明と刊行物３に記載された事項も、遊技球の入賞を検出するスイッチへの不正を防止するという共通の課題を有するから、刊行物発明において刊行物３に記載された事項を適用して、本願発明の「所定の監視時間が経過する毎に、前記入賞数記憶手段に記憶されている入賞数に基づいて、不正報知を実行するか否かの判定を行う」構成とすることも、当業者であれば容易になし得たことである。
イ　相違点２について
　遊技機において、音声出力手段によって不正報知を実行することは、本願の出願遡及日前に周知の技術（以下、「周知技術」という。）である（例えば、刊行物３（【００１７】、【００２３】参照。）には、不正があったものと判断された場合に、エラー表示手段として、画像表示などの視覚的手段、あるいは、音声などの聴覚的手段のいずれも採用することができることが記載され、特開２００５−２１１５９１号公報（拒絶査定時の引用文献１。【０１８３】参照。）には、不正による誤検出があったものと判断された場合に、第１図柄表示装置４１において表示画面に不正が行われた旨の表示が行なわれ、さらに音声ランプ制御装置２７２においてスピーカ２０が制御され不正が行われた旨の報知音が出力されることが記載されている。）。
　また、刊行物２の【０４３８】には、賞球過多の報知を行っている場合に、報知タイマがタイムアウトすると、報知を終了して、可変表示装置９の表示画面を、賞球過多報知画面を表示する前に表示していた画面に戻すことが記載されており、不正報知の終了時の処理として、不正報知のための手段を不正報知の実行前の状態に戻すことが記載されているといえる。
　そして、刊行物発明と刊行物２に記載された事項は、遊技球の入賞を検出するスイッチへの不正があったと判断された場合に、不正報知を実行するという点で共通するから、不正報知の終了時の処理について、刊行物２に記載された事項を適用し、不正報知のための手段を不正報知の実行前の状態に戻すことは当業者が適宜なし得たことである。また、刊行物発明における不正報知のための手段については、周知技術を適用し、スピーカ２７の警告音で不正報知を実行することも、当業者が適宜採用し得る設計的事項である。
　ここで、画像による不正報知と音による不正報知は、共に不正があることを報知するものであり、不正報知する必要がなくなった場合、画像だけでなく音も不正報知実行前の状態に戻すことは明らかであるから、刊行物２に記載された事項に基づいて、画像だけでなく音も不正報知実行前の状態に戻して、上記相違点２に係る本願発明の構成とすることは、当業者が容易になし得たことである。
　したがって、刊行物発明において、不正報知の終了時の処理として刊行物２に記載された事項を、また、不正報知のための手段として周知技術をそれぞれ適用して、上記相違点２に係る本願発明の構成とすることは、当業者が容易になし得たことである。
ウ　請求人の主張及び本願発明が奏する効果について 
　請求人は、平成２９年３月２日に提出された意見書（４．）において「本願発明は、不正報知を、音声である警告音を用いて行うとともに、タイマにセットされた報知時間が経過すると不正報知を終了して警告音を遊技演出に関する音声出力に切り換えられるようになっています（要件Ｈ〜Ｊ）。他方、刊行物１、２、３には、本願発明の要件Ｊに相当する、タイマにセットされた報知時間が経過すると、警告音を遊技演出に関する音声出力に切り換えることについて記載されていません。つまり、刊行物１に記載された発明では、段落０１１８、０１２８に「入賞検出に異常が発生したと判定された場合に、即座に景品遊技媒体の払出を停止させることができる。」と記載されるように、警告処理後は遊技を停止させています。また、刊行物２に記載された発明では、報知を表示装置への表示により行うようにしていますので、音声の切り替えとは無縁のものです。さらに、刊行物３に記載された発明においても、段落００４２、図３に記載されているように、エラー表示の上遊技が停止されるようになっています。加えて、刊行物１〜３には本願発明の要件Ｊについて記載されていない以上、これら刊行物１〜３に記載された発明から上述のような本願発明の作用効果が期待できないことも明らかです」と主張する。
　しかしながら、請求人が主張する本願発明の「要件Ｊ」、つまり上記相違点２に係る構成については、上記イで示したとおり、刊行物発明、刊行物２に記載された事項及び周知技術から、当業者が容易になし得たことである。
　また、上記相違点によって本願発明が奏する効果は、当業者が刊行物発明、刊行物２に記載された事項及び周知技術から予測し得る程度のものであって、格別のものではない。
　なお、上記アの「なお」の段落以降で示した「所定の監視時間」に係る点が本願発明と刊行物発明との相違点であるとしても、それによって本願発明が奏する効果も、当業者が刊行物発明、刊行物２、３に記載された事項及び周知技術から予測し得る程度のものであって、格別のものではない。
　したがって、請求人の主張は採用することができない。
６　まとめ
　以上のように、本願発明は、当業者が刊行物発明、刊行物２に記載された事項及び周知技術、又は、刊行物発明、刊行物２、３に記載された事項及び周知技術に基づいて容易に発明をすることができたものであるから、特許法第２９条第２項の規定により、特許を受けることができない。
　よって、結論のとおり審決する。